(57)【要約】【課題】通信障害が発生している基地局のエリア内に存在する通信端末装置が長時間に渡って通信できない状態を防ぐこと。【解決手段】ＤＯＡ推定処理部１０２は、複数のアンテナ１０１により受信した信号の到来方向を推定する。端末位置推定部１０３は、基地局１５０における通信端末装置１６０からの信号の到来方向を推定した推定結果を取得し、推定結果が示す基地局１５０における到来方向とＤＯＡ推定処理部１０２により推定した到来方向との交わる地点を通信端末装置１６０が存在する地点とする。ＣｏＭＰ処理優先度判定部１０４は、障害の発生した基地局に関する障害発生基地局情報を取得し、通信端末装置１６０が存在する地点が障害発生基地局情報の基地局のエリア内である場合に、基地局１５０に対して、協調して優先的に通信端末装置１６０にデータを送信することを要求する。【選択図】図１
2013126238.tif 000002
【特許請求の範囲】
【請求項１】
通信端末装置から送信された信号を受信する複数のアンテナと、
前記複数のアンテナにより受信した前記信号より前記信号の到来方向を推定する到来方向推定手段と、
自局以外の第１の基地局における前記通信端末装置からの信号の到来方向を推定した推定結果を取得し、前記推定結果が示す前記第１の基地局における到来方向と前記到来方向推定手段により推定した到来方向との交わる地点を前記通信端末装置が存在する地点とする端末位置推定手段と、
自局以外の障害の発生した第２の基地局に関する障害発生基地局情報を取得し、前記通信端末装置が存在する地点が前記障害発生基地局情報の前記第２の基地局のエリア内である場合に、前記第１の基地局に対して、協調して優先的に前記通信端末装置にデータを送信することを要求する判定手段と、
を具備する基地局。
【請求項２】
通信端末装置から送信された信号を複数のアンテナにより受信する受信ステップと、
前記複数のアンテナにより受信した前記信号より前記信号の到来方向を推定する到来方向推定ステップと、
自局以外の第１の基地局における前記通信端末装置からの信号の到来方向を推定した推定結果を取得し、前記推定結果が示す前記第１の基地局における到来方向と前記到来方向推定ステップにより推定した到来方向との交わる地点を前記通信端末装置が存在する地点とする端末位置推定ステップと、
自局以外の障害の発生した第２の基地局に関する障害発生基地局情報を取得し、前記通信端末装置が存在する地点が前記障害発生基地局情報の前記第２の基地局のエリア内である場合に、前記第１の基地局に対して、協調して優先的に前記通信端末装置にデータを送信することを要求する判定ステップと、
を具備する基地局の協調方法。
【発明の詳細な説明】
【技術分野】
【０００１】
本発明は、ＣｏＭＰ（Coordinated Multiple Point）通信を行う基地局及び基地局の協調方法に関する。
【背景技術】
【０００２】
近年、災害時において、携帯電話等の通信端末装置による通信手段を確保する重要性が高まり、災害により通信障害が発生してもすぐに回復することができるシステムの構築が検討されている。
【０００３】
従来、ＣｏＭＰ通信と呼ばれる技術が知られている（例えば、非特許文献１）。ＣｏＭＰ通信とは、セルエッジに存在する等により、通信状況が著しく劣化している通信端末装置に対して、隣接する基地局から通信状況が著しく劣化している通信端末装置に信号を送信して通信状況を改善するものである。このような、ＣｏＭＰ通信を用いれば、特定の基地局に通信障害が発生した場合であっても、通信障害が発生した基地局のエリア内に存在する通信端末装置の通信手段を確保することができる。
【先行技術文献】
【非特許文献】
【０００４】
【非特許文献１】3GPP TR36.814"Further advancements for E-UTRA physical layer aspects"
【発明の概要】
【発明が解決しようとする課題】
【０００５】
しかしながら、従来のシステムにおいては、通信障害が発生しているか否かに関わりなくＣｏＭＰ通信を行っているので、通信障害が発生している基地局のエリア内に存在する通信端末装置が長時間に渡って通信を行うことができないという問題がある。
【０００６】
本発明の目的は、通信障害が発生しているか否かを考慮してＣｏＭＰ通信を行うことにより、通信障害が発生している基地局のエリア内に存在する通信端末装置が長時間に渡って通信できない状態を防ぐことができる基地局及び基地局の協調方法を提供することである。
【課題を解決するための手段】
【０００７】
本発明の基地局は、通信端末装置から送信された信号を受信する複数のアンテナと、前記複数のアンテナにより受信した前記信号より前記信号の到来方向を推定する到来方向推定手段と、自局以外の第１の基地局における前記通信端末装置からの信号の到来方向を推定した推定結果を取得し、前記推定結果が示す前記第１の基地局における到来方向と前記到来方向推定手段により推定した到来方向との交わる地点を前記通信端末装置が存在する地点とする端末位置推定手段と、自局以外の障害の発生した第２の基地局に関する障害発生基地局情報を取得し、前記通信端末装置が存在する地点が前記障害発生基地局情報の前記第２の基地局のエリア内である場合に、前記第１の基地局に対して、協調して優先的に前記通信端末装置にデータを送信することを要求する判定手段と、を具備する構成を採る。
【０００８】
本発明の基地局の協調方法は、通信端末装置から送信された信号を複数のアンテナにより受信する受信ステップと、前記複数のアンテナにより受信した前記信号より前記信号の到来方向を推定する到来方向推定ステップと、自局以外の第１の基地局における前記通信端末装置からの信号の到来方向を推定した推定結果を取得し、前記推定結果が示す前記第１の基地局における到来方向と前記到来方向推定ステップにより推定した到来方向との交わる地点を前記通信端末装置が存在する地点とする端末位置推定ステップと、自局以外の障害の発生した第２の基地局に関する障害発生基地局情報を取得し、前記通信端末装置が存在する地点が前記障害発生基地局情報の前記第２の基地局のエリア内である場合に、前記第１の基地局に対して、協調して優先的に前記通信端末装置にデータを送信することを要求する判定ステップと、を具備するようにした。
【発明の効果】
【０００９】
本発明によれば、通信障害が発生しているか否かを考慮してＣｏＭＰ通信を行うことにより、通信障害が発生している基地局のエリア内に存在する通信端末装置が長時間に渡って通信できない状態を防ぐことができる。
【図面の簡単な説明】
【００１０】
【図１】本発明の実施の形態１における通信システムの構成を示すブロック図
【図２】本発明の実施の形態１における基地局及び通信端末装置の動作を示すシーケンス図
【図３】本発明の実施の形態１における通信端末装置が障害の発生した基地局のエリア外に存在する状態を示す図
【図４】本発明の実施の形態１における通信端末装置が障害の発生した基地局のエリア内に存在する状態を示す図
【図５】本発明の実施の形態２における通信システムの構成を示すブロック図
【図６】本発明の実施の形態２における基地局及び通信端末装置の動作を示すシーケンス図
【発明を実施するための形態】
【００１１】
以下、本発明の実施の形態について、図面を参照して詳細に説明する。
【００１２】
（実施の形態１）
＜通信システムの構成＞
図１は、本発明の実施の形態１における通信システム１０の構成を示すブロック図である。
【００１３】
通信システム１０は、基地局１００、基地局１５０及び通信端末装置１６０とから主に構成される。
【００１４】
基地局１００は、通信端末装置１６０と通信するとともに、基地局１５０に対してＣｏＭＰ送信要求を送信する。ここで、ＣｏＭＰ送信要求とは、協調して優先的にＣｏＭＰ通信を行うことを他の基地局に要求するメッセージである。
【００１５】
基地局１５０は、通信端末装置１６０と通信するとともに、基地局１００よりＣｏＭＰ送信要求を受信することにより基地局１００と協調してＣｏＭＰ通信を行う。
【００１６】
通信端末装置１６０は、基地局１００及び基地局１５０と通信を行う。通信端末装置１６０は、基地局１００との回線の品質を示す回線品質情報を生成して基地局１００に送信する。通信端末装置１６０は、基地局１５０との回線の品質を示す回線品質情報を生成して基地局１５０に送信する。
【００１７】
＜ＣｏＭＰ送信要求を送信する基地局の構成＞
基地局１００は、複数のアンテナ１０１と、ＤＯＡ推定処理部１０２と、端末位置推定部１０３と、ＣｏＭＰ処理優先度判定部１０４と、送受信処理部１０５と、アンテナ１０６とから主に構成される。
【００１８】
複数のアンテナ１０１は、通信端末装置１６０から送信された信号を受信してＤＯＡ推定処理部１０２に出力する。
【００１９】
ＤＯＡ推定処理部１０２は、複数のアンテナ１０１の各アンテナにおいて受信した信号の位相差に基づいて、通信端末装置１６０から送信された信号の到来方向を推定する。ＤＯＡ推定処理部１０２は、到来方向の推定結果を端末位置推定部１０３に出力する。
【００２０】
端末位置推定部１０３は、後述する基地局１５０のＤＯＡ推定処理部１１２から入力した、基地局１５０における通信端末装置１６０からの信号の到来方向を推定した推定結果を取得する。端末位置推定部１０３は、取得した推定結果と、ＤＯＡ推定処理部１０２から入力した推定結果とに基づいて、通信端末装置１６０が存在する地点を推定する。端末位置推定部１０３は、推定結果をＣｏＭＰ処理優先度判定部１０４に出力する。なお、通信端末装置１６０が存在する地点を推定する方法については後述する。
【００２１】
ＣｏＭＰ処理優先度判定部１０４は、障害が発生した基地局を特定する障害発生基地局情報を取得する。ＣｏＭＰ処理優先度判定部１０４は、端末位置推定部１０３から入力した推定結果と取得した障害発生基地局情報とより、障害が発生した他の基地局のエリア（セル）内に通信端末装置１６０が存在するか否かを判定する。ＣｏＭＰ処理優先度判定部１０４は、障害が発生した他の基地局のエリア内に通信端末装置１６０が存在すると判定した場合には、障害が発生した他の基地局に代わって、通信端末装置１６０宛のデータ送信を行うように送受信処理部１０５に指示する。ＣｏＭＰ処理優先度判定部１０４は、障害の発生した他の基地局のエリア内に通信端末装置１６０が存在すると判定した場合に、基地局１５０の送受信処理部１１３に対して、協調して優先的に通信端末装置１６０宛のデータを送信することを要求するＣｏＭＰ送信要求を送信する。このＣｏＭＰ送信要求には、通信端末装置１６０を特定するための情報が含まれている。なお、障害が発生した基地局のセル内に通信端末装置１６０が存在するか否かの判定方法については後述する。
【００２２】
送受信処理部１０５は、アンテナ１０６から入力した信号に含まれる回線品質情報を抽出する。送受信処理部１０５は、スケジューリングを行い、抽出した回線品質情報に基づいて通信端末装置１６０に対してリソースを割り当てる。送受信処理部１０５は、ＣｏＭＰ処理優先度判定部１０４からの指示に従って、基地局１５０と協調して優先的にＣｏＭＰ通信を行うために、通信端末装置１６０に割り当てたリソースを用いて、通信端末装置１６０宛のデータの送信処理を行う。送受信処理部１０５は、送信処理により生成した送信信号をアンテナ１０６に出力する。
【００２３】
アンテナ１０６は、送受信処理部１０５から入力した送信信号を通信端末装置１６０に送信する。アンテナ１０６は、通信端末装置１６０から受信した信号を送受信処理部１０５に出力する。
【００２４】
＜ＣｏＭＰ送信要求を受信する基地局の構成＞
基地局１５０は、複数のアンテナ１１１と、ＤＯＡ推定処理部１１２と、送受信処理部１１３と、アンテナ１１４とから主に構成される。
【００２５】
複数のアンテナ１１１は、通信端末装置１６０から送信された信号を受信してＤＯＡ推定処理部１１２に出力する。
【００２６】
ＤＯＡ推定処理部１１２は、複数のアンテナ１１１の各アンテナにおいて受信した信号の位相差に基づいて、通信端末装置１６０から送信された信号の到来方向を推定する。ＤＯＡ推定処理部１１２は、到来方向の推定結果を基地局１００の端末位置推定部１０３に送信する。
【００２７】
送受信処理部１１３は、アンテナ１１４から入力した信号に含まれる回線品質情報を抽出する。送受信処理部１１３は、スケジューリングを行い、抽出した回線品質情報に基づいて通信端末装置１６０に対してリソースを割り当てる。送受信処理部１１３は、基地局１００のＣｏＭＰ処理優先度判定部１０４からＣｏＭＰ送信要求を取得した際に、ＣｏＭＰ送信要求に含まれる情報より、通信端末装置１６０を特定する。送受信処理部１１３は、基地局１００と協調して優先的にＣｏＭＰ通信を行うために、通信端末装置１６０に対して割り当てたリソースを用いて、通信端末装置１６０宛のデータの送信処理を行う。送受信処理部１１３は、送信処理により生成した送信信号をアンテナ１１４に出力する。
【００２８】
アンテナ１１４は、送受信処理部１１３から入力した送信信号を通信端末装置１６０に送信する。アンテナ１１４は、通信端末装置１６０から受信した信号を送受信処理部１１３に出力する。
【００２９】
＜基地局及び通信端末装置の動作＞
図２は、基地局１００、基地局１５０及び通信端末装置１６０の動作を示すシーケンス図である。
【００３０】
図２より、まず、通信端末装置１６０は、上りデータ送信を行う（ステップＳＴ２０１）。
【００３１】
また、通信端末装置１６０は、上りデータ送信を行う（ステップＳＴ２０２）。
【００３２】
次に、基地局１００は、ＤＯＡ推定処理部１０２において、ステップＳＴ２０１で受信した上りデータ送信の信号に基づいて、上りデータ送信の信号の到来方向を推定する（ＤＯＡ推定）（ステップＳＴ２０３）。
【００３３】
また、基地局１５０は、ＤＯＡ推定処理部１１２において、ステップＳＴ２０２で受信した上りデータ送信の信号に基づいて、上りデータ送信の信号の到来方向を推定する（ＤＯＡ推定）（ステップＳＴ２０４）。
【００３４】
次に、基地局１５０のＤＯＡ推定処理部１１２は、上りデータ送信の信号の到来方向の推定結果を基地局１００の端末位置推定部１０３に送信する（ステップＳＴ２０５）。
【００３５】
次に、基地局１００は、送受信処理部１０５において、通信端末装置１６０に対してリソースを割り当てる（ステップＳＴ２０６）。
【００３６】
次に、基地局１００は、ＣｏＭＰ処理優先度判定部１０４において、障害発生基地局情報を取得し、取得した障害発生基地局情報の基地局のエリアを判定する（ステップＳＴ２０７）。ＣｏＭＰ処理優先度判定部１０４は、例えば、基地局とエリアとを対応付けたテーブルを記憶し、テーブルを参照して、取得した障害発生基地局情報の基地局に対応するエリアを特定する。
【００３７】
次に、基地局１００は、通信端末装置１６０が障害の発生した基地局のエリア内（セル内）に存在するか否かを判定する（ステップＳＴ２０８）。
【００３８】
通信端末装置１６０が障害の発生した基地局のエリア内に存在する場合（ステップＳＴ２０８：ＹＥＳ）には、基地局１００のＣｏＭＰ処理優先度判定部１０４から基地局１５０の送受信処理部１１３に対してＣｏＭＰ送信要求を送信する（ステップＳＴ２０９）。
【００３９】
次に、基地局１００は、送受信処理部１０５において、通信端末装置１６０に対して下りデータ送信を行う（ステップＳＴ２１０）。
【００４０】
次に、基地局１５０は、送受信処理部１１３において、通信端末装置１６０にリソースを割り当てる（ステップＳＴ２１１）。
【００４１】
次に、基地局１５０は、送受信処理部１１３において、割り当てたリソースを用いて、基地局１００と協調して優先的にＣｏＭＰ通信を行うために、通信端末装置１６０に対して下りデータ送信を行う（ステップＳＴ２１２）。
【００４２】
一方、ステップＳＴ２０８において、通信端末装置１６０が障害の発生した基地局のエリア内に存在しない場合（ステップＳＴ２０８：ＮＯ）には、基地局１００は、送受信処理部１０５において、通信端末装置１６０に割り当てたリソースを用いて通信端末装置１６０に対して下りデータ送信を行う（ステップＳＴ２１０）。
【００４３】
＜障害が発生した基地局のエリア内に通信端末装置が存在するか否かの判定方法＞
図３は、通信端末装置１６０が障害の発生した基地局のエリア外に存在する状態を示す図である。図４は、通信端末装置１６０が障害の発生した基地局のエリア内に存在する状態を示す図である。
【００４４】
図３より、基地局１００の端末位置推定部１０３は、基地局１００のＤＯＡ推定処理部１０２において推定した到来方向Ｓ１と、基地局１５０のＤＯＡ推定処理部１１２において推定した到来方向Ｓ２との交点を、通信端末装置１６０が存在する地点と推定する。図３の場合、基地局１００は、ＣｏＭＰ処理優先度判定部１０４において、障害の発生している基地局１７０のエリアｒ１外に通信端末装置１６０が存在すると推定する。
【００４５】
一方、図４より、基地局１００の端末位置推定部１０３は、基地局１００のＤＯＡ推定処理部１０２において推定した到来方向Ｓ３と、基地局１５０のＤＯＡ推定処理部１１２において推定した到来方向Ｓ４との交点を、通信端末装置１６０が存在する地点と推定する。図４の場合、基地局１００は、ＣｏＭＰ処理優先度判定部１０４において、障害の発生している基地局１７０のエリアｒ１内に通信端末装置１６０が存在すると推定する。
【００４６】
＜本実施の形態の効果＞
本実施の形態によれば、通信障害が発生しているか否かを考慮してＣｏＭＰ通信を行うことにより、通信障害が発生している基地局のエリア内に存在する通信端末装置が長時間に渡って通信できない状態を防ぐことができる。
【００４７】
（実施の形態２）
図５は、本発明の実施の形態２における通信システム５０の構成を示すブロック図である。
【００４８】
通信システム５０は、基地局５００、基地局５５０及び通信端末装置５６０とから主に構成される。
【００４９】
基地局５００は、通信端末装置５６０と通信するとともに、基地局５５０に対してＣｏＭＰ送信要求を送信する。
【００５０】
基地局５５０は、通信端末装置５６０と通信するとともに、基地局５００よりＣｏＭＰ送信要求を受信することにより基地局５００と協調してＣｏＭＰ通信を行う。
【００５１】
通信端末装置５６０は、基地局５００及び基地局５５０と通信を行う。通信端末装置５６０は、基地局５００との回線の品質を示す回線品質情報を生成する。通信端末装置５６０は、基地局５５０との回線の品質を示す回線品質情報を生成する。
【００５２】
＜ＣｏＭＰ送信要求を送信する基地局の構成＞
基地局５００は、アンテナ５０１と、送受信処理部５０２と、端末位置情報取得部５０３と、ＣｏＭＰ処理優先度判定部５０４とから主に構成される。
【００５３】
アンテナ５０１は、送受信処理部５０２から入力した送信信号を通信端末装置５６０に送信する。アンテナ５０１は、通信端末装置５６０から受信した信号を送受信処理部５０２に出力する。
【００５４】
送受信処理部５０２は、アンテナ５０１から入力した信号に含まれる回線品質情報を抽出する。送受信処理部５０２は、スケジューリングを行い、抽出した回線品質情報に基づいて通信端末装置５６０に対してリソースを割り当てる。送受信処理部５０２は、アンテナ５０１から入力した信号に含まれる通信端末装置５６０の位置を示す位置情報を抽出し、抽出した位置情報を端末位置情報取得部５０３に出力する。送受信処理部５０２は、ＣｏＭＰ処理優先度判定部５０４からの指示に従って、基地局５５０と協調して優先的にＣｏＭＰ通信を行うために、通信端末装置５６０に割り当てたリソースを用いて、通信端末装置５６０宛のデータの送信処理を行う。送受信処理部５０２は、送信処理により生成した送信信号をアンテナ５０１に出力する。
【００５５】
端末位置情報取得部５０３は、送受信処理部５０２から入力した位置情報を解析して、通信端末装置５６０が存在する地点を推定する。端末位置情報取得部５０３は、推定結果をＣｏＭＰ処理優先度判定部５０４に出力する。
【００５６】
ＣｏＭＰ処理優先度判定部５０４は、障害が発生した基地局を特定する障害発生基地局情報を取得する。ＣｏＭＰ処理優先度判定部５０４は、端末位置情報取得部５０３から入力した位置情報と取得した障害発生基地局情報とより、障害が発生した他の基地局のエリア内に通信端末装置５６０が存在するか否かを判定する。ＣｏＭＰ処理優先度判定部５０４は、障害が発生した他の基地局のエリア内に通信端末装置５６０が存在すると判定した場合には、障害が発生した他の基地局に代わって、通信端末装置５６０宛のデータ送信を行うように送受信処理部５０２に指示する。ＣｏＭＰ処理優先度判定部５０４は、障害の発生した他の基地局のエリア内に通信端末装置５６０が存在すると判定した場合に、基地局５５０の送受信処理部５１２に対して、協調して優先的に通信端末装置５６０宛のデータを送信することを要求するＣｏＭＰ送信要求を送信する。このＣｏＭＰ送信要求には、通信端末装置５６０を特定するための情報が含まれている。
【００５７】
＜ＣｏＭＰ送信要求を受信する基地局の構成＞
基地局５５０は、アンテナ５１１及び送受信処理部５１２から主に構成される。
【００５８】
アンテナ５１１は、送受信処理部５１２から入力した送信信号を通信端末装置５６０に送信する。アンテナ５１１は、通信端末装置５６０から受信した信号を送受信処理部５１２に出力する。
【００５９】
送受信処理部５１２は、アンテナ５１１から入力した信号に含まれる回線品質情報を抽出する。送受信処理部５１２は、スケジューリングを行い、抽出した回線品質情報に基づいて通信端末装置５６０に対してリソースを割り当てる。送受信処理部５１２は、基地局５００のＣｏＭＰ処理優先度判定部５０４からＣｏＭＰ送信要求を取得した際に、ＣｏＭＰ送信要求に含まれる情報により、通信端末装置５６０を特定する。送受信処理部５１２は、基地局５００と協調して優先的にＣｏＭＰ通信を行うために、通信端末装置５６０に対して割り当てたリソースを用いて、通信端末装置５６０宛のデータの送信処理を行う。送受信処理部５１２は、送信処理により生成した送信信号をアンテナ５１１に出力する。
【００６０】
＜通信端末装置の構成＞
通信端末装置５６０は、アンテナ５２１と、位置推定部５２２と、送受信処理部５２３と、アンテナ５２４とから主に構成される。
【００６１】
アンテナ５２１は、ＧＰＳ衛星からの信号を受信して位置推定部５２２に出力する。
【００６２】
位置推定部５２２は、アンテナ５２１から入力した信号を用いて演算を行って通信端末装置５６０の位置を推定する。位置推定部５２２は、位置の推定結果である位置情報を送受信処理部５２３に出力する。
【００６３】
送受信処理部５２３は、位置推定部５２２から入力した位置情報を含む送信信号を生成してアンテナ５２４に出力する。送受信処理部５２３は、基地局５００と通信端末装置５６０との回線の品質を示す回線品質情報を含む送信信号を生成してアンテナ５２４に出力する。送受信処理部５２３は、基地局５５０と通信端末装置５６０との回線の品質を示す回線品質情報を含む送信信号を生成してアンテナ５２４に出力する。送受信処理部５２３は、アンテナ５２４から入力した信号を受信処理する。
【００６４】
アンテナ５２４は、送受信処理部５２３から入力した送信信号を送信する。アンテナ５２４は、受信した信号を送受信処理部５２３に出力する。
【００６５】
＜基地局及び通信端末装置の動作＞
図６は、基地局５００、基地局５５０及び通信端末装置５６０の動作を示すシーケンス図である。
【００６６】
図６より、まず、通信端末装置５６０は、基地局５００に位置情報を送信する（ステップＳＴ６０１）。
【００６７】
次に、基地局５００は、送受信処理部５０２において、通信端末装置５６０に対してリソースを割り当てる（ステップＳＴ６０２）。
【００６８】
次に、基地局５００は、ＣｏＭＰ処理優先度判定部５０４において、障害発生基地局情報を取得し、取得した障害発生基地局情報の基地局のエリアを判定する（ステップＳＴ６０３）。ＣｏＭＰ処理優先度判定部５０４は、例えば、基地局とエリアとを対応付けたテーブルを記憶し、テーブルを参照して、取得した障害発生基地局情報の基地局に対応するエリアを特定する。
【００６９】
次に、基地局５００は、通信端末装置５６０が障害の発生した基地局のエリア内（セル内）に存在するか否かを判定する（ステップＳＴ６０４）。
【００７０】
通信端末装置５６０が障害の発生した基地局のエリア内に存在する場合（ステップＳＴ６０４：ＹＥＳ）には、基地局５００のＣｏＭＰ処理優先度判定部５０４から基地局５５０の送受信処理部５１２に対してＣｏＭＰ送信要求を送信する（ステップＳＴ６０５）。
【００７１】
次に、基地局５００は、送受信処理部５０２において、通信端末装置５６０に対して下りデータ送信を行う（ステップＳＴ６０６）。
【００７２】
次に、基地局５５０は、送受信処理部５１２において、通信端末装置５６０にリソースを割り当てる（ステップＳＴ６０７）。
【００７３】
次に、基地局５５０は、送受信処理部５１２において、割り当てたリソースを用いて、基地局５００と協調して優先的にＣｏＭＰ通信を行うために、通信端末装置５６０に対して下りデータ送信を行う（ステップＳＴ６０８）。
【００７４】
一方、ステップＳＴ６０４において、通信端末装置５６０が障害の発生した基地局のエリア内に存在しない場合（ステップＳＴ６０４：ＮＯ）には、基地局５００は、送受信処理部５０２において、通信端末装置５６０に割り当てたリソースを用いて通信端末装置５６０に対して下りデータ送信を行う（ステップＳＴ６０６）。
【００７５】
＜本実施の形態の効果＞
本実施の形態によれば、通信障害が発生しているか否かを考慮してＣｏＭＰ通信を行うことにより、通信障害が発生している基地局のエリア内に存在する通信端末装置が長時間に渡って通信できない状態を防ぐことができる。
【００７６】
＜本実施の形態の変形例＞
本実施の形態において、ＧＰＳを用いて通信端末装置の位置を推定したが、本発明はこれに限らず、ＧＰＳ以外の任意の方法を用いて通信端末装置の位置を推定することができる。
【００７７】
＜全ての実施の形態に共通する変形例＞
上記実施の形態１及び実施の形態２において、１の基地局にＣｏＭＰ処理優先度判定部を設けたが、本発明はこれに限らず、全ての基地局にＣｏＭＰ処理優先度判定部を設けてもよい。
【００７８】
また、上記実施の形態１及び実施の形態２において、ＣｏＭＰ処理優先度判定部が記憶しているテーブルを用いて障害の発生している基地局のエリアを判定したが、本発明はこれに限らず、障害の発生している基地局が、自局のエリア情報を、ＣｏＭＰ送信要求を送信する基地局に対して送信するようにしてもよい。
【産業上の利用可能性】
【００７９】
本発明にかかる基地局及び基地局の協調方法は、ＣｏＭＰ通信を行うのに好適である。
【符号の説明】
【００８０】
１０  通信システム
１００、１５０  基地局
１０１、１０６、１１１、１１４  アンテナ
１０２、１１２  ＤＯＡ推定処理部
１０３  端末位置推定部
１０４  ＣｏＭＰ処理優先度判定部
１０５、１１３  送受信処理部
１６０  通信端末装置
【図１】
2013126238.tif 000003
【図２】
2013126238.tif 000004
【図３】
2013126238.tif 000005
【図４】
2013126238.tif 000006
【図５】
2013126238.tif 000007
【図６】
2013126238.tif 000008